(57)【要約】【課題】動画、静止画の同時記録が可能な撮像装置において、電源立ち上げ時のオートホワイトバランスの収束時間を短縮し、より迅速かつ正確なオートホワイトバランス制御を実現する。【解決手段】第１および第２のイメージセンサ、第１および第２のイメージセンサの出力信号に対する第１および第２の信号処理手段、を有する撮像装置において、第１の信号処理と第２の信号処理とで異なるホワイトバランスの初期値をもち、起動時の環境により近い方の初期値を選択し、ホワイトバランス制御を行い、また第１の信号処理と第２の信号処理との間でのホワイトバランス制御に関する相互の変換テーブルあるいは変換式をもち、起動時の環境により近い方の初期値を選択し、初期値を選択されなかった信号処理のホワイトバランス制御を、初期値を選択されたもう一方の信号処理の制御から、変換テーブルあるいは変換式に基づいて変換し、ホワイトバランス制御を継続する。【選択図】        図１
2006081083.tif 000002
【特許請求の範囲】
【請求項１】
第１および第２のイメージセンサ、前記、第１および第２のイメージセンサの出力信号に対する第１および第２の信号処理手段、を有する撮像装置において、
前記、第１の信号処理と第２の信号処理とで異なるホワイトバランスの初期値をもち、起動時の環境により近い方の初期値を選択し、ホワイトバランス制御を行うことを特徴とする、撮像装置。
【請求項２】
前記、第１のイメージセンサは動画撮影用のイメージセンサであり、前記、第２のイメージセンサは静止画撮影用のイメージセンサであることを特徴とする、請求項１に記載の撮像装置。
【請求項３】
前記、第１の信号処理におけるホワイトバランス初期値を、前記、第２の信号処理におけるホワイトバランス初期値よりも低色温度側に設定することを特徴とする、請求項１または請求項２に記載の撮像装置。
【請求項４】
前記、第１の信号処理におけるホワイトバランス初期値を、前記、第２の信号処理におけるホワイトバランス初期値よりも高色温度側に設定することを特徴とする、請求項１または請求項２に記載の撮像装置。
【請求項５】
第１および第２のイメージセンサ、前記、第１および第２のイメージセンサの出力信号に対する第１および第２の信号処理手段、を有する撮像装置において、
前記、第１の信号処理と第２の信号処理とで異なるホワイトバランスの初期値をもち、前記、第１の信号処理と第２の信号処理との間でのホワイトバランス制御に関する相互の変換テーブルあるいは変換式をもち、起動時の環境により近い方の初期値を選択し、初期値を選択されなかった信号処理のホワイトバランス制御を、初期値を選択されたもう一方の信号処理の制御から、前記、変換テーブルあるいは変換式に基づいて変換し、ホワイトバランス制御を継続することを特徴とする、撮像装置。
【請求項６】
前記、第１のイメージセンサは動画撮影用のイメージセンサであり、前記、第２のイメージセンサは静止画撮影用のイメージセンサであることを特徴とする、請求項５に記載の撮像装置。
【請求項７】
前記、第１の信号処理におけるホワイトバランス初期値を、前記、第２の信号処理におけるホワイトバランス初期値よりも低色温度側に設定することを特徴とする、請求項５または請求項６に記載の撮像装置。
【請求項８】
前記、第１の信号処理におけるホワイトバランス初期値を、前記、第２の信号処理におけるホワイトバランス初期値よりも高色温度側に設定することを特徴とする、請求項５または請求項６に記載の撮像装置。
【発明の詳細な説明】
【技術分野】
【０００１】
本発明は動画、静止画の同時記録が可能な撮像装置に関するものである。
【背景技術】
【０００２】
ビデオカメラで動画を撮影している際に、特定のシーンを静止画で記録したいという要求がある。従来、スチルカメラとビデオカメラを組み合わせて一台の装置とし、ビデオカメラでの撮影を中断することなく、スチルカメラを操作してスチル撮影を可能にするスチルカメラ付きビデオカメラが提案されている（例えば、特許文献１参照）。
【特許文献１】特許第０２５７３６００号公報
【発明の開示】
【発明が解決しようとする課題】
【０００３】
しかしながら、上記の発明では、動画および静止画撮影用の信号処理において、それぞれ独立したオートホワイトバランス制御を行っているため、電源立ち上げ時などにオートホワイトバランス制御が安定するのに時間がかかってしまうという欠点を有していた。
【０００４】
本発明では上記の問題点を鑑み、動画、静止画の同時記録が可能な撮像装置において、電源立ち上げ時のオートホワイトバランスの収束時間を短縮し、より迅速かつ正確なオートホワイトバランス制御を実現することを課題とした。
【課題を解決するための手段】
【０００５】
本発明は、このような問題を解決するために成されたものである。
【０００６】
課題を解決するための手段として、本発明では、
第１および第２のイメージセンサ、第１および第２のイメージセンサの出力信号に対する第１および第２の信号処理手段、を有する撮像装置において、第１の信号処理と第２の信号処理とで異なるホワイトバランスの初期値をもち、起動時の環境により近い方の初期値を選択し、ホワイトバランス制御を行うことを特徴としている。
【０００７】
さらに本発明の特徴とするところは、
第１および第２のイメージセンサ、第１および第２のイメージセンサの出力信号に対する第１および第２の信号処理手段、を有する撮像装置において、第１の信号処理と第２の信号処理とで異なるホワイトバランスの初期値をもち、第１の信号処理と第２の信号処理との間でのホワイトバランス制御に関する相互の変換テーブルあるいは変換式をもち、起動時の環境により近い方の初期値を選択し、初期値を選択されなかった信号処理のホワイトバランス制御を、初期値を選択されたもう一方の信号処理の制御から、変換テーブルあるいは変換式に基づいて変換し、ホワイトバランス制御を継続することを特徴としている。
【０００８】
さらに本発明の特徴とするところは、
第１のイメージセンサは動画撮影用のイメージセンサであり、第２のイメージセンサは静止画撮影用のイメージセンサであることを特徴としている。
【０００９】
さらに本発明の特徴とするところは、
第１の信号処理におけるホワイトバランス初期値を、第２の信号処理におけるホワイトバランス初期値よりも低色温度側に設定することを特徴としている。
【００１０】
さらに本発明の特徴とするところは、
第１の信号処理におけるホワイトバランス初期値を、第２の信号処理におけるホワイトバランス初期値よりも高色温度側に設定することを特徴としている。
【発明の効果】
【００１１】
本発明によれば、動画、静止画の同時記録が可能な撮像装置において、動画用信号処理と静止画用信号処理とで、オートホワイトバランスの初期値に異なる値を設定し、電源立ち上げ時の環境により近い方の初期値を選択することで、オートホワイトバランス制御の収束時間を短縮し、より迅速かつ正確なオートホワイトバランス制御を実現することができる。
【００１２】
また、動画用および静止画用の信号処理間で、ホワイトバランス制御に関する相互の変換テーブルあるいは変換式をもち、起動時に初期値を選択されなかった信号処理のオートホワイトバランス制御を、初期値を選択されたもう一方の信号処理の制御から、変換テーブルあるいは変換式に基づいて変換することで、オートホワイトバランス制御の収束時間を短縮し、より迅速かつ正確なオートホワイトバランス制御を実現することができる。
【発明を実施するための最良の形態】
【００１３】
以下本発明を実施するための最良の形態を、実施例により詳しく説明する。
【実施例１】
【００１４】
図１は、本実施例の構成を示す概略構成図である。
【００１５】
１０１はレンズであり、レンズ１０１の後方には絞り１０２が配置されている。レンズ１０１、絞り１０２を介した光は、ハーフミラー１０３により２方向に分離され、それぞれ、Ｍｏｖｉｅ用ＣＣＤ１０５およびＳｔｉｌｌ用ＣＣＤ１０７の結像面上に被写体像として結像される。この際、Ｓｔｉｌｌ用ＣＣＤ１０７の前面にはシャッター１０４が設けられ、読み出し期間中に余分な電荷が蓄積されないようになっている。Ｍｏｖｉｅ用ＣＣＤ１０５およびＳｔｉｌｌ用ＣＣＤ１０７において、結像された被写体像は光信号から映像信号に変換される。
【００１６】
Ｍｏｖｉｅ用ＣＣＤ１０５により得られた映像信号は、Ｍｏｖｉｅ用信号処理部１１２に送られる。映像信号はＭｏｖｉｅ用信号処理部１１２において所定の処理を施され、磁気テープ１１５に記録、あるいはディスプレイ１１６に出力される。
【００１７】
Ｓｔｉｌｌ用ＣＣＤ１０７により得られた画像信号は、Ｓｔｉｌｌ用信号処理部１１４に送られる。画像信号はＳｔｉｌｌ用信号処理部１１４において所定の処理を施され、メモリカード１１８に記録される。
【００１８】
１１１はカメラマイコンである。Ｍｏｖｉｅ用ＣＣＤ制御部１０６およびＳｔｉｌｌ用ＣＣＤ制御部１０８を通じて、Ｍｏｖｉｅ用ＣＣＤ１０５およびＳｔｉｌｌ用ＣＣＤ１０７の蓄積、読み出しなどの制御を行う。さらに、Ｍｏｖｉｅ用信号処理部１１２およびＳｔｉｌｌ用信号処理部１１４を通じて、動画および静止画を撮影するためのオートホワイトバランス制御を行い、動画、静止画それぞれのホワイトバランスが適正になるように処理する。
【００１９】
カメラマイコン１１１による、動画撮影および静止画撮影におけるオートホワイトバランス制御については、後で詳しく述べる。
【００２０】
図２は、本実施例の撮像装置の概観を示す斜視図である。
【００２１】
１２０は撮像装置本体である。撮像装置本体１２０内部には、磁気テープおよびメモリカードなどの記録媒体が収納され、映像信号および静止画像を記録再生できるようになっている。１２１はレンズ部である。１２２はマイクであり、撮影時の音声を記録するために備えられている。１２３は電子式ビューファインダ（ＥＶＦ）であり、覗き込むことによりカメラ撮影時に被写体を狙ったり確認したりするために備えられている。
【００２２】
１２４は動画用トリガースイッチである。動画用トリガースイッチ１２４はプッシュボタンであり、動画撮影開始および終了を機器に伝達するためにユーザが操作するスイッチである。１２５は静止画用トリガースイッチである。静止画用トリガースイッチ１２５はプッシュボタンであり、静止画撮影開始および終了を機器に伝達するためにユーザが操作するスイッチである。
【００２３】
１３１は閃光装置であり、静止画を撮影する際の補助手段として、必要に応じて発光する。
【００２４】
１２６はモードダイヤルであり、回転式のスイッチからなる。モードダイヤル１２６では、例えば再生モードに設定する“再生”、カメラモードに設定する“カメラ”およびそのいずれでもない“ＯＦＦ”のいずれかを選択できる。
【００２５】
１２７は操作スイッチ群であり、ユーザが本体を操作するため、特に再生系やメニュー操作などのためのキーが配置されている。
【００２６】
１２８は本体側面に開閉自在となるように取り付けられた液晶パネルであり、ＥＶＦ１２３と同様に、カメラ撮影時には被写体像の確認、再生時には再生画像の表示に主に使用される。液晶パネル１２８は、本体１２０から開いている状態で、さらに水平方向にも回転可能になっている。
【００２７】
１２９はスピーカであり、再生するときに音声を出力するために設けられている。１３０はバッテリであり、本体１２０と着脱可能になっている。
【００２８】
次に、本実施例の撮像装置における起動時のオートホワイトバランス制御処理について、図１の概略構成図および図３、図４のフローチャートを参照しながら説明する。
【００２９】
図３は、本実施例の起動時における動画用信号処理のオートホワイトバランス制御を示すフローチャートである。動画撮影用オートホワイトバランス制御が開始されると（Ｓ１０１）、カメラマイコン１１１は、動画撮影用オートホワイトバランス制御における色温度の初期値を動画用初期値（例えば低色温度側）に設定する（Ｓ１０２）。つづいて、カメラマイコン１１１は、Ｍｏｖｉｅ用ＣＣＤ１０５から送られる映像信号をもとに、この状態での動画像のホワイトバランス検出を行う（Ｓ１０３）。検出された色と、後述する静止画撮影におけるホワイトバランス検出結果の色との比較を行う（Ｓ１０４）。比較した結果、動画撮影における検出色が、静止画撮影における検出色よりも白に近ければ、カメラマイコン１１１は、動画撮影用オートホワイトバランス制御をそのまま継続する（Ｓ１０６）。逆に、動画撮影における検出色が、静止画撮影における検出色よりも白に近くない場合には、カメラマイコン１１１は、動画撮影用オートホワイトバランス制御における色温度を静止画用初期値（例えば高色温度側）に設定し直し（Ｓ１０５）、再び動画撮影用オートホワイトバランス制御を継続する（Ｓ１０６）。
【００３０】
図４は、本実施例の起動時における静止画用信号処理のオートホワイトバランス制御を示すフローチャートである。静止画撮影用オートホワイトバランス制御が開始されると（Ｓ２０１）、カメラマイコン１１１は、静止画撮影用オートホワイトバランス制御における色温度の初期値を静止画用初期値（例えば高色温度側）に設定する（Ｓ２０２）。つづいて、カメラマイコン１１１は、Ｓｔｉｌｌ用ＣＣＤ１０７から送られる画像信号をもとに、この状態での静止画像のホワイトバランス検出を行う（Ｓ２０３）。検出された色と、前述した動画撮影におけるホワイトバランス検出結果の色との比較を行う（Ｓ２０４）。比較した結果、静止画撮影における検出色が、動画撮影における検出色よりも白に近ければ、カメラマイコン１１１は、静止画撮影用オートホワイトバランス制御をそのまま継続する（Ｓ２０６）。逆に、静止画撮影における検出色が、動画撮影における検出色よりも白に近くない場合には、カメラマイコン１１１は、静止画撮影用オートホワイトバランス制御における色温度を動画用初期値（例えば低色温度側）に設定し直し（Ｓ２０５）、再び静止画撮影用オートホワイトバランス制御を継続する（Ｓ２０６）。
【００３１】
ここでは、動画撮影用オートホワイトバランス制御における色温度の初期値を低色温度側に、静止画撮影用オートホワイトバランス制御における色温度の初期値を高色温度側に設定する場合について説明したが、これとは逆に、動画撮影用オートホワイトバランス制御における色温度の初期値を高色温度側に、静止画撮影用オートホワイトバランス制御における色温度の初期値を低色温度側に設定しても構わない。
【００３２】
次に、本実施例の撮像装置における起動時のオートホワイトバランス制御処理でのオートホワイトバランス制御点の動きについて、図５を参照しながら説明する。
【００３３】
図５は、本実施例における動画撮影用および静止画撮影用オートホワイトバランス制御軸を示す図である。図において、１４５は動画用オートホワイトバランス制御軸、１４６は静止画用オートホワイトバランス制御軸である。動画撮影用オートホワイトバランス制御は、初期値として低色温度側の動画用オートホワイトバランス制御点Ａ１４１から制御を開始する。また、静止画撮影用オートホワイトバランス制御は、初期値として高色温度側の静止画用オートホワイトバランス制御点Ｂ’１４４から制御を開始する。つづいて、動画像および静止画像のホワイトバランス検出を行い、それぞれの検出色を比較する。
【００３４】
動画撮影における検出色が、静止画撮影における検出色よりも白に近い場合には、静止画撮影用オートホワイトバランス制御における制御点を、現在の制御点Ｂ’１４４から、動画用初期値である動画用オートホワイトバランス制御点Ａ１４１に対応する静止画用オートホワイトバランス制御点Ａ’１４３に移行し、引き続き静止画撮影用オートホワイトバランス制御を行う。一方、動画撮影用オートホワイトバランス制御は、そのまま制御を継続する。
【００３５】
逆に、静止画撮影における検出色が、動画撮影における検出色よりも白に近い場合には、動画撮影用オートホワイトバランス制御における制御点を、現在の制御点Ａ１４１から、静止画用初期値である静止画用オートホワイトバランス制御点Ｂ’１４４に対応する動画用オートホワイトバランス制御点Ｂ１４２に移行し、引き続き動画撮影用オートホワイトバランス制御を行う。一方、静止画撮影用オートホワイトバランス制御は、そのまま制御を継続する。
【００３６】
以上述べたように、動画、静止画の同時記録が可能な２板式撮像装置において、動画用信号処理と静止画用信号処理とで、オートホワイトバランスの初期値に異なる値を設定し、電源立ち上げ時の環境により近い方の初期値を選択することで、オートホワイトバランス制御の収束時間を短縮し、より迅速かつ正確なオートホワイトバランス制御を実現することができる。
【実施例２】
【００３７】
本実施例では、実施例１における起動時のオートホワイトバランス制御処理を以下のように置き換える。
【００３８】
図６は、本実施例の構成を示す概略構成図である。
【００３９】
２０１はレンズであり、レンズ２０１の後方には絞り２０２が配置されている。レンズ２０１、絞り２０２を介した光は、ハーフミラー２０３により２方向に分離され、それぞれ、Ｍｏｖｉｅ用ＣＣＤ２０５およびＳｔｉｌｌ用ＣＣＤ２０７の結像面上に被写体像として結像される。この際、Ｓｔｉｌｌ用ＣＣＤ２０７の前面にはシャッター２０４が設けられ、読み出し期間中に余分な電荷が蓄積されないようになっている。Ｍｏｖｉｅ用ＣＣＤ２０５およびＳｔｉｌｌ用ＣＣＤ２０７において、結像された被写体像は光信号から映像信号に変換される。
【００４０】
Ｍｏｖｉｅ用ＣＣＤ２０５により得られた映像信号は、Ｍｏｖｉｅ用信号処理部２１２に送られる。映像信号はＭｏｖｉｅ用信号処理部２１２において所定の処理を施され、磁気テープ２１５に記録、あるいはディスプレイ２１６に出力される。
【００４１】
Ｓｔｉｌｌ用ＣＣＤ２０７により得られた画像信号は、Ｓｔｉｌｌ用信号処理部２１４に送られる。画像信号はＳｔｉｌｌ用信号処理部２１４において所定の処理を施され、メモリカード２１８に記録される。
【００４２】
２１１はカメラマイコンである。Ｍｏｖｉｅ用ＣＣＤ制御部２０６およびＳｔｉｌｌ用ＣＣＤ制御部２０８を通じて、Ｍｏｖｉｅ用ＣＣＤ２０５およびＳｔｉｌｌ用ＣＣＤ２０７の蓄積、読み出しなどの制御を行う。さらに、Ｍｏｖｉｅ用信号処理部２１２およびＳｔｉｌｌ用信号処理部２１４を通じて、動画および静止画を撮影するためのオートホワイトバランス制御を行い、動画、静止画それぞれのホワイトバランスが適正になるように処理する。
【００４３】
２１０はＳｔｉｌｌ／Ｍｏｖｉｅ変換テーブルであり、動画用オートホワイトバランス制御および静止画用オートホワイトバランス制御の一方から他方への変換処理を行う際に用いられる。
【００４４】
カメラマイコン２１１による、Ｓｔｉｌｌ／Ｍｏｖｉｅ変換テーブル２１０を用いた、動画撮影および静止画撮影におけるオートホワイトバランス制御については、後で詳しく述べる。
【００４５】
次に、本実施例の撮像装置における起動時のオートホワイトバランス制御処理について、図６の概略構成図および図７、図８のフローチャートを参照しながら説明する。
【００４６】
図７は、本実施例の起動時における動画用信号処理のオートホワイトバランス制御を示すフローチャートである。動画撮影用オートホワイトバランス制御が開始されると（Ｓ３０１）、カメラマイコン２１１は、動画撮影用オートホワイトバランス制御における色温度の初期値を動画用初期値（例えば低色温度側）に設定する（Ｓ３０２）。つづいて、カメラマイコン２１１は、Ｍｏｖｉｅ用ＣＣＤ２０５から送られる映像信号をもとに、この状態での動画像のホワイトバランス検出を行う（Ｓ３０３）。検出された色と、後述する静止画撮影におけるホワイトバランス検出結果の色との比較を行う（Ｓ３０４）。比較した結果、動画撮影における検出色が、静止画撮影における検出色よりも白に近ければ、カメラマイコン２１１は、動画撮影用オートホワイトバランス制御をそのまま継続する（Ｓ３０６）。逆に、動画撮影における検出色が、静止画撮影における検出色よりも白に近くない場合には、カメラマイコン２１１は、動画撮影用オートホワイトバランス制御における色温度を、Ｓｔｉｌｌ／Ｍｏｖｉｅ変換テーブル２１０に基づいて静止画撮影用オートホワイトバランス制御の色温度制御点から求め（Ｓ３０５）、再び動画撮影用オートホワイトバランス制御を継続する（Ｓ３０６）。
【００４７】
図８は、本実施例の起動時における静止画用信号処理のオートホワイトバランス制御を示すフローチャートである。静止画撮影用オートホワイトバランス制御が開始されると（Ｓ４０１）、カメラマイコン２１１は、静止画撮影用オートホワイトバランス制御における色温度の初期値を静止画用初期値（例えば高色温度側）に設定する（Ｓ４０２）。つづいて、カメラマイコン２１１は、Ｓｔｉｌｌ用ＣＣＤ２０７から送られる画像信号をもとに、この状態での静止画像のホワイトバランス検出を行う（Ｓ４０３）。検出された色と、前述した動画撮影におけるホワイトバランス検出結果の色との比較を行う（Ｓ４０４）。比較した結果、静止画撮影における検出色が、動画撮影における検出色よりも白に近ければ、カメラマイコン２１１は、静止画撮影用オートホワイトバランス制御をそのまま継続する（Ｓ４０６）。逆に、静止画撮影における検出色が、動画撮影における検出色よりも白に近くない場合には、カメラマイコン２１１は、静止画撮影用オートホワイトバランス制御における色温度を、Ｓｔｉｌｌ／Ｍｏｖｉｅ変換テーブル２１０に基づいて動画撮影用オートホワイトバランス制御の色温度制御点から求め（Ｓ４０５）、再び静止画撮影用オートホワイトバランス制御を継続する（Ｓ４０６）。
【００４８】
ここでは、動画撮影用オートホワイトバランス制御における色温度の初期値を低色温度側に、静止画撮影用オートホワイトバランス制御における色温度の初期値を高色温度側に設定する場合について説明したが、これとは逆に、動画撮影用オートホワイトバランス制御における色温度の初期値を高色温度側に、静止画撮影用オートホワイトバランス制御における色温度の初期値を低色温度側に設定しても構わない。
【００４９】
また、ここでは、動画用オートホワイトバランス制御および静止画用オートホワイトバランス制御の一方から他方への変換処理を、Ｓｔｉｌｌ／Ｍｏｖｉｅ変換テーブルに基づいて行う場合について説明したが、変換テーブルの代わりに変換式を用いて、変換処理を行うようにしても構わない。
【００５０】
次に、本実施例の撮像装置における起動時のオートホワイトバランス制御処理でのオートホワイトバランス制御点の動きについて、図９を参照しながら説明する。
【００５１】
図９は、本実施例における動画撮影用および静止画撮影用オートホワイトバランス制御軸を示す図である。図において、２４５は動画用オートホワイトバランス制御軸、２４６は静止画用オートホワイトバランス制御軸である。動画撮影用オートホワイトバランス制御は、初期値として低色温度側の動画用オートホワイトバランス制御点Ａ２４１から制御を開始する。また、静止画撮影用オートホワイトバランス制御は、初期値として高色温度側の静止画用オートホワイトバランス制御点Ｂ’２４４から制御を開始する。つづいて、動画像および静止画像のホワイトバランス検出を行い、それぞれの検出色を比較する。
【００５２】
動画撮影における検出色が、静止画撮影における検出色よりも白に近い場合には、静止画撮影用オートホワイトバランス制御における制御点を、現在の制御点Ｂ’２４４から、現在の動画用オートホワイトバランス制御点Ｃ２４７に対応する静止画用オートホワイトバランス制御点Ｃ’２４８に移行し、引き続き静止画撮影用オートホワイトバランス制御を行う。一方、動画撮影用オートホワイトバランス制御は、そのまま制御を継続する。
【００５３】
逆に、静止画撮影における検出色が、動画撮影における検出色よりも白に近い場合には、動画撮影用オートホワイトバランス制御における制御点を、現在の制御点Ａ２４１から、現在の静止画用オートホワイトバランス制御点Ｄ’２５０に対応する動画用オートホワイトバランス制御点Ｄ２４９に移行し、引き続き動画撮影用オートホワイトバランス制御を行う。一方、静止画撮影用オートホワイトバランス制御は、そのまま制御を継続する。
【００５４】
ここで、動画用オートホワイトバランス制御点Ｃ２４７から静止画用オートホワイトバランス制御点Ｃ’２４８への変換処理、および、静止画用オートホワイトバランス制御点Ｄ’２５０から動画用オートホワイトバランス制御点Ｄ２４９への変換処理は、Ｓｔｉｌｌ／Ｍｏｖｉｅ変換テーブルあるいはＳｔｉｌｌ／Ｍｏｖｉｅ変換式に基づいて処理される。
【００５５】
以上述べたように、動画、静止画の同時記録が可能な２板式撮像装置において、動画用および静止画用の信号処理間で、ホワイトバランス制御に関する相互の変換テーブルあるいは変換式をもち、起動時に初期値を選択されなかった信号処理のオートホワイトバランス制御を、初期値を選択されたもう一方の信号処理の制御から、変換テーブルあるいは変換式に基づいて変換することで、オートホワイトバランス制御の収束時間を短縮し、より迅速かつ正確なオートホワイトバランス制御を実現することができる。
【図面の簡単な説明】
【００５６】
【図１】本発明の第１の実施例の撮像装置の構成を示す概略構成図である。
【図２】本発明の撮像装置の概観を示す斜視図である。
【図３】本発明の第１の実施例の起動時における動画用信号処理のオートホワイトバランス制御処理を示すフローチャートである。
【図４】本発明の第１の実施例の起動時における静止画用信号処理のオートホワイトバランス制御処理を示すフローチャートである。
【図５】本発明の第１の実施例におけるオートホワイトバランス制御軸を示す図である。
【図６】本発明の第２の実施例の撮像装置の構成を示す概略構成図である。
【図７】本発明の第２の実施例の起動時における動画用信号処理のオートホワイトバランス制御処理を示すフローチャートである。
【図８】本発明の第２の実施例の起動時における静止画用信号処理のオートホワイトバランス制御処理を示すフローチャートである。
【図９】本発明の第２の実施例におけるオートホワイトバランス制御軸を示す図である。
【符号の説明】
【００５７】
１０１  レンズ
１０２  絞り
１０３  ハーフミラー
１０４  シャッター
１０５  Ｍｏｖｉｅ用ＣＣＤ
１０６  Ｍｏｖｉｅ用ＣＣＤ制御部
１０７  Ｓｔｉｌｌ用ＣＣＤ
１０８  Ｓｔｉｌｌ用ＣＣＤ制御部
１１１  カメラマイコン
１１２  Ｍｏｖｉｅ用信号処理部
１１４  Ｓｔｉｌｌ用信号処理部
１１５  磁気テープ
１１６  ディスプレイ
１１８  メモリカード
１２０  撮像装置本体
１２１  レンズ部
１２２  マイク
１２３  電子式ビューファインダ（ＥＶＦ）
１２４  動画用トリガースイッチ
１２５  静止画用トリガースイッチ
１２６  モードダイヤル
１２７  操作スイッチ群
１２８  液晶パネル
１２９  スピーカ
１３０  バッテリ
１３１  閃光装置
１４１  動画用オートホワイトバランス制御点Ａ
１４２  動画用オートホワイトバランス制御点Ｂ
１４３  静止画用オートホワイトバランス制御点Ａ’
１４４  静止画用オートホワイトバランス制御点Ｂ’
１４５  動画用オートホワイトバランス制御軸
１４６  静止画用オートホワイトバランス制御軸
２０１  レンズ
２０２  絞り
２０３  ハーフミラー
２０４  シャッター
２０５  Ｍｏｖｉｅ用ＣＣＤ
２０６  Ｍｏｖｉｅ用ＣＣＤ制御部
２０７  Ｓｔｉｌｌ用ＣＣＤ
２０８  Ｓｔｉｌｌ用ＣＣＤ制御部
２１０  Ｓｔｉｌｌ／Ｍｏｖｉｅ変換テーブル
２１１  カメラマイコン
２１２  Ｍｏｖｉｅ用信号処理部
２１４  Ｓｔｉｌｌ用信号処理部
２１５  磁気テープ
２１６  ディスプレイ
２１８  メモリカード
２４１  動画用オートホワイトバランス制御点Ａ
２４４  静止画用オートホワイトバランス制御点Ｂ’
２４５  動画用オートホワイトバランス制御軸
２４６  静止画用オートホワイトバランス制御軸
２４７  動画用オートホワイトバランス制御点Ｃ
２４８  静止画用オートホワイトバランス制御点Ｃ’
２４９  動画用オートホワイトバランス制御点Ｄ
２５０  静止画用オートホワイトバランス制御点Ｄ’
【図１】
2006081083.tif 000003
【図２】
2006081083.tif 000004
【図３】
2006081083.tif 000005
【図４】
2006081083.tif 000006
【図５】
2006081083.tif 000007
【図６】
2006081083.tif 000008
【図７】
2006081083.tif 000009
【図８】
2006081083.tif 000010
【図９】
2006081083.tif 000011